(57)【要約】【課題】自動改札機を通過する旅客に適した広告をその自動改札機に表示するとともに、その広告効果が判るシステムを提供する。【解決手段】広告配信システム１は、改札機システム３と、店舗システム４と、表示データ配信システム５とを備える。表示データ配信システム５は、表示データ及び紐付情報を改札機システム３に配信する。改札機システム３は、自動改札機２を通過するＩＣカード６に記憶されている属性情報に対応する表示データをその自動改札機２に表示し、その表示履歴データを表示データ配信システム５に送信する。店舗システム４は、販売履歴データを表示データ配信システム５に送信する。表示データ配信システム５は、受信した表示履歴データと販売履歴データとを突き合わせ、表示データが改札機システムによって表示された後にその表示データに含まれる広告の対象の商品又は役務が店舗７で購入されている場合、広告効果があったと判定する。【選択図】図１
2020140663.tif 000002
【特許請求の範囲】
【請求項１】
商品又は役務の広告を自動改札機に配信する広告配信システムであって、
ＩＣカードで通過可能な自動改札機に設けられる改札機システムと、
前記ＩＣカードで商品又は役務の購入が可能な店舗に用いられる店舗システムと、
前記改札機システム及び店舗システムと接続される表示データ配信システムとを備え、
前記ＩＣカードは、その保持者の属性情報が記憶されており、
前記表示データ配信システムは、前記店舗で販売される商品又は役務の広告を含む表示データ、及び属性情報を前記表示データと対応させる紐付情報を前記改札機システムに配信し、
前記改札機システムは、自動改札機を通過するＩＣカードに記憶されている属性情報に対応する前記表示データをその自動改札機に表示し、その表示履歴データを前記表示データ配信システムに送信し、
前記表示履歴データは、通過したＩＣカードに記憶されていた属性情報、その属性情報に対応した前記表示データを自動改札機に表示したことの情報及び表示した時間情報を有し、
前記店舗システムは、ＩＣカードで購入された商品又は役務、そのＩＣカードに記憶されていた属性情報及び購入された日時のデータを含む販売履歴データを前記表示データ配信システムに送信し、
前記表示データ配信システムは、受信した前記表示履歴データと前記販売履歴データとを突き合わせ、表示データが前記改札機システムによって表示された後にその表示データに含まれる広告の対象の商品又は役務が前記店舗で購入されている場合、広告効果があったと判定することを特徴とする広告配信システム。
【請求項２】
前記属性情報は、ＩＣカードの保持者の性別及び年齢の情報を含むことを特徴とする請求項１に記載の広告配信システム。
【請求項３】
前記表示データ配信システムは、受信した前記表示履歴データと前記販売履歴データとを前記属性情報ごとに突き合わせ、表示データが前記改札機システムによって表示された後にその表示データに含まれる広告の対象の商品又は役務が購入されている場合、当該属性情報が記憶されたＩＣカードの保持者に対する広告効果があったと判定することを特徴とする請求項１又は請求項２に記載の広告配信システム。
【請求項４】
前記表示データ配信システムは、受信した表示履歴データと前記販売履歴データとを所定のセグメントごとに突き合わせ、表示データが改札機システムによって表示された後にその表示データに含まれる広告の対象の商品又は役務が購入されている場合、当該セグメントに対する広告効果があったと判定することを特徴とする請求項１又は請求項２に記載の広告配信システム。
【請求項５】
前記表示データ配信システムは、前記表示データが登録される広告データベースと、前記改札機システム及び店舗システムとの間でデータを送受信する配信サーバと、前記表示履歴データと前記販売履歴データとを突き合わせる突合せ装置とを有し、
前記改札機システムは、前記表示データを自動改札機に表示する表示部と、前記配信サーバとの間でデータを送受信するとともに前記表示部に表示データを表示させる表示制御部とを有し、
前記店舗システムは、前記販売履歴データを前記配信サーバに送信する店舗サーバを有し、
前記配信サーバは、前記表示データ及び紐付情報を前記表示制御部に配信し、
前記表示制御部は、自動改札機を通過するＩＣカードに記憶されている属性情報に対応する前記表示データを前記表示部に表示させ、その表示履歴データを前記配信サーバに送信し、
前記店舗サーバは、前記販売履歴データを前記配信サーバに送信し、
前記突合せ装置は、前記配信サーバが受信した前記表示履歴データと前記販売履歴データとを突き合わせることを特徴とする請求項１乃至請求項４のいずれか一項に記載の広告配信システム。
【請求項６】
前記店舗システムは、前記販売履歴データを蓄積する販売履歴データベースを有し、
前記店舗サーバは、前記販売履歴データベースに蓄積される販売履歴データを前記配信サーバに送信することを特徴とする請求項５に記載の広告配信システム。
【請求項７】
前記表示データ配信システムは、前記表示履歴データを蓄積する表示履歴データベースを有し、
前記配信サーバは、前記表示制御部から受信した前記表示履歴データを前記表示履歴データベースに蓄積し、
前記突合せ装置は、前記表示履歴データベースに蓄積される表示履歴データと、前記店舗サーバから受信した販売履歴データとを突き合わせることを特徴とする請求項６に記載の広告配信システム。
【請求項８】
前記表示データ配信システムは、前記突合せ装置による判定結果を、前記表示履歴データと関連付けて前記表示履歴データベースに蓄積することを特徴とする請求項７に記載の広告配信システム。
【請求項９】
商品又は役務の広告を自動改札機に配信する広告配信システムであって、
ＩＣカードで通過可能な自動改札機に設けられる改札機システムと、
前記ＩＣカードで商品又は役務の購入が可能な店舗に用いられる店舗システムと、
前記改札機システム及び店舗システムと接続される表示データ配信システムとを備え、
前記ＩＣカードは、そのＩＣカードを一意に識別する識別情報が記憶されており、
前記表示データ配信システムは、前記店舗で販売される商品又は役務の広告を含む表示データ、及び前記識別情報を前記表示データと対応させる紐付情報を前記改札機システムに配信し、
前記改札機システムは、自動改札機を通過するＩＣカードに記憶されている識別情報に対応する前記表示データをその自動改札機に表示し、その表示履歴データを前記表示データ配信システムに送信し、
前記表示履歴データは、通過したＩＣカードに記憶されていた識別情報、その識別情報に対応した前記表示データを自動改札機に表示したことの情報及び表示した時間情報を有し、
前記店舗システムは、ＩＣカードで購入された商品又は役務、そのＩＣカードに記憶されていた識別情報及び購入された日時のデータを含む販売履歴データを前記表示データ配信システムに送信し、
前記表示データ配信システムは、受信した前記表示履歴データと前記販売履歴データとを突き合わせ、表示データが前記改札機システムによって表示された後にその表示データに含まれる広告の対象の商品又は役務が前記店舗で購入されている場合、広告効果があったと判定することを特徴とする広告配信システム。
【請求項１０】
前記表示データ配信システムは、受信した前記表示履歴データと前記販売履歴データとを識別情報ごとに突き合わせ、表示データが前記改札機システムによって表示された後にその表示データに含まれる広告の対象の商品又は役務が購入されている場合、当該識別情報が記憶されたＩＣカードの保持者に対する広告効果があったと判定することを特徴とする請求項９に記載の広告配信システム。
【請求項１１】
前記表示データ配信システムは、前記表示データが登録される広告データベースと、前記改札機システム及び店舗システムとの間でデータを送受信する配信サーバと、前記表示履歴データと前記販売履歴データとを突き合わせる突合せ装置とを有し、
前記改札機システムは、前記表示データを自動改札機に表示する表示部と、前記配信サーバとの間でデータを送受信するとともに前記表示部に表示データを表示させる表示制御部とを有し、
前記店舗システムは、前記販売履歴データを前記配信サーバに送信する店舗サーバを有し、
前記配信サーバは、前記表示データ及び紐付情報を前記表示制御部に配信し、
前記表示制御部は、自動改札機を通過するＩＣカードに記憶されている識別情報に対応する前記表示データを前記表示部に表示させ、その表示履歴データを前記配信サーバに送信し、
前記店舗サーバは、前記販売履歴データを前記配信サーバに送信し、
前記突合せ装置は、前記配信サーバが受信した前記表示履歴データと前記販売履歴データとを突き合わせることを特徴とする請求項９又は請求項１０に記載の広告配信システム。
【請求項１２】
前記店舗システムは、前記販売履歴データを蓄積する販売履歴データベースを有し、
前記店舗サーバは、前記販売履歴データベースに蓄積される販売履歴データを前記配信サーバに送信することを特徴とする請求項１１に記載の広告配信システム。
【請求項１３】
前記表示データ配信システムは、前記表示履歴データを蓄積する表示履歴データベースを有し、
前記配信サーバは、前記表示制御部から受信した前記表示履歴データを前記表示履歴データベースに蓄積し、
前記突合せ装置は、前記表示履歴データベースに蓄積される表示履歴データと、前記店舗サーバから受信した販売履歴データとを突き合わせることを特徴とする請求項１２に記載の広告配信システム。
【請求項１４】
前記表示データ配信システムは、前記突合せ装置による判定結果を、前記表示履歴データと関連付けて前記表示履歴データベースに蓄積することを特徴とする請求項１３に記載の広告配信システム。
【発明の詳細な説明】
【技術分野】
【０００１】
本発明は、商品又は役務の広告を配信して自動改札機に表示する広告配信システムに関する。
【背景技術】
【０００２】
駅の改札口周辺は、通勤や通学または回遊等により、休平日を問わず、人の流動拠点となっており、集客力が非常に高い。このため、駅に設置された自動改札機を利用した広告は、高い効果が見込まれる。現在、自動改札機を利用した広告は、主にステッカーを用いている。しかしながら、ステッカーを用いた広告は、広告の内容が固定表示となるので、広告を提示する対象がある程度限定され、対象外の属性（性別や年齢層等）には効果が無い場合や、逆効果となる場合がある。固定表示によって、見る必要が無いものや、見たくないものを見せられる可能性があるからである。また、広告の内容を変更する場合には、ステッカーの貼替作業が必要であるので、広告ビジネスにおいて労力・コスト増となっている。
【０００３】
従来から、自動改札機に画面を設け、その画面に広告を表示するシステムが提案されている（例えば、特許文献１〜４参照）。このようなシステムを用いると、ステッカーの貼替作業を行わずに広告の内容を変更することができる。しかし、このようなシステムを用いても、広告の内容を変更した効果は判り難い。また、広告効果が判りにくいので、改札口が高い広告効果が見込まれるロケーションであることを広告主が認識し難い。
【先行技術文献】
【特許文献】
【０００４】
【特許文献１】特開２００２−１４０７３６号公報
【特許文献２】特開２００３−４４８８４号公報
【特許文献３】特開２００３−４４８８５号公報
【特許文献４】特開２００３−８４６９９号公報
【発明の概要】
【発明が解決しようとする課題】
【０００５】
本発明は、上記問題を解決するものであり、自動改札機を通過する旅客に適した広告をその自動改札機に表示するとともに、その広告効果が判るシステムを提供することを目的とする。
【課題を解決するための手段】
【０００６】
本発明の広告配信システムは、商品又は役務の広告を自動改札機に配信するシステムであって、ＩＣカードで通過可能な自動改札機に設けられる改札機システムと、前記ＩＣカードで商品又は役務の購入が可能な店舗に用いられる店舗システムと、前記改札機システム及び店舗システムと接続される表示データ配信システムとを備え、前記ＩＣカードは、その保持者の属性情報が記憶されており、前記表示データ配信システムは、前記店舗で販売される商品又は役務の広告を含む表示データ、及び属性情報を前記表示データと対応させる紐付情報を前記改札機システムに配信し、前記改札機システムは、自動改札機を通過するＩＣカードに記憶されている属性情報に対応する前記表示データをその自動改札機に表示し、その表示履歴データを前記表示データ配信システムに送信し、前記表示履歴データは、通過したＩＣカードに記憶されていた属性情報、その属性情報に対応した前記表示データを自動改札機に表示したことの情報及び表示した時間情報を有し、前記店舗システムは、ＩＣカードで購入された商品又は役務、そのＩＣカードに記憶されていた属性情報及び購入された日時のデータを含む販売履歴データを前記表示データ配信システムに送信し、前記表示データ配信システムは、受信した前記表示履歴データと前記販売履歴データとを突き合わせ、表示データが前記改札機システムによって表示された後にその表示データに含まれる広告の対象の商品又は役務が前記店舗で購入されている場合、広告効果があったと判定することを特徴とする。
【０００７】
この広告配信システムにおいて、前記属性情報は、ＩＣカードの保持者の性別及び年齢の情報を含むことが好ましい。
【０００８】
この広告配信システムにおいて、前記表示データ配信システムは、受信した前記表示履歴データと前記販売履歴データとを前記属性情報ごとに突き合わせ、表示データが前記改札機システムによって表示された後にその表示データに含まれる広告の対象の商品又は役務が購入されている場合、当該属性情報が記憶されたＩＣカードの保持者に対する広告効果があったと判定することが好ましい。
【０００９】
この広告配信システムにおいて、前記表示データ配信システムは、受信した表示履歴データと前記販売履歴データとを所定のセグメントごとに突き合わせ、表示データが改札機システムによって表示された後にその表示データに含まれる広告の対象の商品又は役務が購入されている場合、当該セグメントに対する広告効果があったと判定することが好ましい。
【００１０】
この広告配信システムにおいて、前記表示データ配信システムは、前記表示データが登録される広告データベースと、前記改札機システム及び店舗システムとの間でデータを送受信する配信サーバと、前記表示履歴データと前記販売履歴データとを突き合わせる突合せ装置とを有し、前記改札機システムは、前記表示データを自動改札機に表示する表示部と、前記配信サーバとの間でデータを送受信するとともに前記表示部に表示データを表示させる表示制御部とを有し、前記店舗システムは、前記販売履歴データを前記配信サーバに送信する店舗サーバを有し、前記配信サーバは、前記表示データ及び紐付情報を前記表示制御部に配信し、前記表示制御部は、自動改札機を通過するＩＣカードに記憶されている属性情報に対応する前記表示データを前記表示部に表示させ、その表示履歴データを前記配信サーバに送信し、前記店舗サーバは、前記販売履歴データを前記配信サーバに送信し、前記突合せ装置は、前記配信サーバが受信した前記表示履歴データと前記販売履歴データとを突き合わせることが好ましい。
【００１１】
この広告配信システムにおいて、前記店舗システムは、前記販売履歴データを蓄積する販売履歴データベースを有し、前記店舗サーバは、前記販売履歴データベースに蓄積される販売履歴データを前記配信サーバに送信することが好ましい。
【００１２】
この広告配信システムにおいて、前記表示データ配信システムは、前記表示履歴データを蓄積する表示履歴データベースを有し、前記配信サーバは、前記表示制御部から受信した前記表示履歴データを前記表示履歴データベースに蓄積し、前記突合せ装置は、前記表示履歴データベースに蓄積される表示履歴データと、前記店舗サーバから受信した販売履歴データとを突き合わせることが好ましい。
【００１３】
この広告配信システムにおいて、前記表示データ配信システムは、前記突合せ装置による判定結果を、前記表示履歴データと関連付けて前記表示履歴データベースに蓄積することが好ましい。
【００１４】
本発明の広告配信システムは、商品又は役務の広告を自動改札機に配信するシステムであって、ＩＣカードで通過可能な自動改札機に設けられる改札機システムと、前記ＩＣカードで商品又は役務の購入が可能な店舗に用いられる店舗システムと、前記改札機システム及び店舗システムと接続される表示データ配信システムとを備え、前記ＩＣカードは、そのＩＣカードを一意に識別する識別情報が記憶されており、前記表示データ配信システムは、前記店舗で販売される商品又は役務の広告を含む表示データ、及び前記識別情報を前記表示データと対応させる紐付情報を前記改札機システムに配信し、前記改札機システムは、自動改札機を通過するＩＣカードに記憶されている識別情報に対応する前記表示データをその自動改札機に表示し、その表示履歴データを前記表示データ配信システムに送信し、前記表示履歴データは、通過したＩＣカードに記憶されていた識別情報、その識別情報に対応した前記表示データを自動改札機に表示したことの情報及び表示した時間情報を有し、前記店舗システムは、ＩＣカードで購入された商品又は役務、そのＩＣカードに記憶されていた識別情報及び購入された日時のデータを含む販売履歴データを前記表示データ配信システムに送信し、前記表示データ配信システムは、受信した前記表示履歴データと前記販売履歴データとを突き合わせ、表示データが前記改札機システムによって表示された後にその表示データに含まれる広告の対象の商品又は役務が前記店舗で購入されている場合、広告効果があったと判定することを特徴としてもよい。
【００１５】
この広告配信システムにおいて、前記表示データ配信システムは、受信した前記表示履歴データと前記販売履歴データとを識別情報ごとに突き合わせ、表示データが前記改札機システムによって表示された後にその表示データに含まれる広告の対象の商品又は役務が購入されている場合、当該識別情報が記憶されたＩＣカードの保持者に対する広告効果があったと判定することが好ましい。
【００１６】
この広告配信システムにおいて、前記表示データ配信システムは、前記表示データが登録される広告データベースと、前記改札機システム及び店舗システムとの間でデータを送受信する配信サーバと、前記表示履歴データと前記販売履歴データとを突き合わせる突合せ装置とを有し、前記改札機システムは、前記表示データを自動改札機に表示する表示部と、前記配信サーバとの間でデータを送受信するとともに前記表示部に表示データを表示させる表示制御部とを有し、前記店舗システムは、前記販売履歴データを前記配信サーバに送信する店舗サーバを有し、前記配信サーバは、前記表示データ及び紐付情報を前記表示制御部に配信し、前記表示制御部は、自動改札機を通過するＩＣカードに記憶されている識別情報に対応する前記表示データを前記表示部に表示させ、その表示履歴データを前記配信サーバに送信し、前記店舗サーバは、前記販売履歴データを前記配信サーバに送信し、前記突合せ装置は、前記配信サーバが受信した前記表示履歴データと前記販売履歴データとを突き合わせることが好ましい。
【００１７】
この広告配信システムにおいて、前記店舗システムは、前記販売履歴データを蓄積する販売履歴データベースを有し、前記店舗サーバは、前記販売履歴データベースに蓄積される販売履歴データを前記配信サーバに送信することが好ましい。
【００１８】
この広告配信システムにおいて、前記表示データ配信システムは、前記表示履歴データを蓄積する表示履歴データベースを有し、前記配信サーバは、前記表示制御部から受信した前記表示履歴データを前記表示履歴データベースに蓄積し、前記突合せ装置は、前記表示履歴データベースに蓄積される表示履歴データと、前記店舗サーバから受信した販売履歴データとを突き合わせることが好ましい。
【００１９】
この広告配信システムにおいて、前記表示データ配信システムは、前記突合せ装置による判定結果を、前記表示履歴データと関連付けて前記表示履歴データベースに蓄積することが好ましい。
【発明の効果】
【００２０】
本発明の広告配信システムによれば、ＩＣカードに記憶されている情報に対応する広告が自動改札機に表示されるので、そのＩＣカードの保持者に適した広告が自動改札機に表示され、広告効果が高くなる。また、表示データが自動改札機に表示された後にその表示データに含まれる広告の対象の商品又は役務が店舗で購入されている場合、広告効果があったと判定されるので、自動改札機での広告の表示と店舗での購入との順序が明確になり、広告の表示と購入の因果関係が確認されて、広告効果が判る。
【図面の簡単な説明】
【００２１】
【図１】本発明の実施形態に係る広告配信システムのブロック構成図。
【図２】同システムにおける自動改札機の斜視図。
【発明を実施するための形態】
【００２２】
（第１の実施形態）
本発明の第１の実施形態に係る広告配信システムを図１及び図２を参照して説明する。図１に示すように、広告配信システム１は、商品又は役務の広告を自動改札機２に配信するシステムである。この広告配信システム１は、改札機システム３と、店舗システム４と、表示データ配信システム５とを備える。すなわち、改札機システム３、店舗システム４及び表示データ配信システム５は、広告配信システム１を構成するサブシステムである。
【００２３】
改札機システム３は、ＩＣカード６で通過可能な自動改札機２に設けられる。店舗システム４は、ＩＣカード６で商品又は役務の購入が可能な店舗７に用いられる。すなわち、ＩＣカード６は、電子マネー機能付きＩＣカード乗車券である。ＩＣカード６は、電子マネー機能付きＩＣカード乗車券の機能を有していれば、薄い板状のものに限定されず、例えば、電子マネー機能付きＩＣカード乗車券の機能を有するスマートフォンであってもよい。ＩＣカード６は、その保持者Ｐの属性情報が記憶されている。表示データ配信システム５は、改札機システム３及び店舗システム４と接続される。
【００２４】
上記のように構成された広告配信システム１において、表示データ配信システム５は、表示データ及び紐付情報を改札機システム３に配信する。表示データは、店舗７で販売される商品又は役務の広告を含むデータである。紐付情報は、属性情報を表示データと対応させる（紐付ける）情報である。
【００２５】
そして、改札機システム３は、自動改札機２を通過するＩＣカード６に記憶されている属性情報に対応する表示データをその自動改札機２に表示し、その表示履歴データを表示データ配信システム５に送信する。表示履歴データは、通過したＩＣカード６に記憶されていた属性情報、その属性情報に対応した表示データを自動改札機２に表示したことの情報及び表示した時間情報を有する。
【００２６】
店舗システム４は、販売履歴データを表示データ配信システム５に送信する。販売履歴データは、ＩＣカード６で購入された商品又は役務、そのＩＣカード６に記憶されていた属性情報及び購入された日時のデータを含む。
【００２７】
そして、表示データ配信システム５は、受信した表示履歴データと販売履歴データとを突き合わせ、表示データが改札機システムによって表示された後にその表示データに含まれる広告の対象の商品又は役務が店舗７で購入されている場合、広告効果があったと判定する。
【００２８】
この広告配信システム１についてさらに詳述する。本実施形態では、広告配信システム１は、ＩＣカード６に記憶されている属性情報を利用する。属性情報は、ＩＣカード６やその保持者Ｐを一意に識別するための情報ではない。例えば、属性情報は、ＩＣカード６の保持者Ｐの性別及び年齢の情報を含む。その年齢の情報は、年齢の数値に限定されず、生年月日や年齢層であってもよい。属性情報は、性別や年齢の情報に限定されない。属性情報が示す属性は、ＩＣカード６の保持者Ｐが持っている性質であり、広告効果を調べるために適するものが予め選択される。
【００２９】
広告配信システム１の改札機システム３と、店舗システム４と、表示データ配信システム５は、インターネット網８ａに接続され、データを送受信する。インターネット網８ａの代わりに専用線を用いても構わない。店舗システム４は、ローカル・エリア・ネットワーク８ｂによって店舗７と接続されている。ローカル・エリア・ネットワーク８ｂの代わりにインターネット網８ａや専用線を用いても構わない。
【００３０】
表示データ配信システム５は、広告データベース５１と、配信サーバ５２と、突合せ装置５３とを有する。広告データベース５１は、表示データが登録されるデータベースである。表示データは、店舗７で販売される商品又は役務の広告を含む動画、画像又は文字のデータである。紐付情報は、属性情報を表示データと紐付ける対応表として、配信サーバ５２に記憶される。なお、表示データを商品又は役務に関連付ける情報は、表示データに含まれている。表示データを商品又は役務に関連付ける情報を、表示データとは別に広告データベース５１に保存してもよい。
【００３１】
表示データ配信システム５は、表示データ配信システム５へのデータの入力を受ける入力装置又は入力インタフェースを有する（図示せず）。広告配信システム１を利用して広告を自動改札機２に表示させる者は、配信コンテンツ登録者と呼ばれ、広告を含む表示データを表示データ配信システム５に入力する。表示データ配信システム５に入力された表示データは、広告データベース５１に登録される。
【００３２】
配信サーバ５２は、コンピュータであり、改札機システム３及び店舗システム４との間でデータを送受信する。また、配信サーバ５２を用いて、表示データの加工・登録・修正が可能である。
【００３３】
突合せ装置５３は、表示履歴データと販売履歴データとを突き合わせる装置である。突合せ装置５３は、ＣＰＵ、メモリ等を有し、プログラムを実行することによって動作する。配信サーバ５２が突合せ装置５３の機能を有するように構成してもよい。
【００３４】
改札機システム３は、表示部３１と、表示制御部３２とを有する。図２に示すように、表示部３１は、表示データを自動改札機２に表示するディスプレイである。表示制御部３２は、セットトップボックス（ＳＴＢ）とも呼ばれ、ＣＰＵ、記憶装置等を有し、配信サーバ５２との間でデータを送受信するとともに、表示部３１に表示データを表示させる（図１参照）。改札機システム３は、表示部３１及び表示制御部３２以外にルータ３３を有する。表示制御部３２は、ルータ３３を介してインターネット網８ａに接続される。
【００３５】
自動改札機２は、既存の構成として、ＩＣカードリーダ２１及び改札機制御部２２等を有する。ＩＣカードリーダ２１は、ＩＣカード６の情報を読む装置である（図２参照）。改札機制御部２２は、ＩＣカード６から読んだ情報の処理や、自動改札機２のゲートの開閉の制御等をする装置であり、ＩＣカード６から読んだ情報が通過条件を満たすとき、自動改札機２のオープンを指示する。このような構成に、改札機システム３が付加される。改札機システム３の表示部３１は、自動改札機２の天板部に設けられる。表示制御部３２及びルータ３３は、自動改札機２の筐体２３内に収容される。
【００３６】
店舗７は、広告配信システム１によって配信される広告に含まれる商品又は役務が販売されるので、広告配信店舗とも呼ばれる（図１参照）。店舗７には、既存設備として、ＩＣカードリーダ７１、ＰＯＳレジ７２、及びルータ７３を有する。ＰＯＳとは、販売時点の情報を管理する装置、又はそのシステムである（ＪＩＳ  Ｂ  ０１１５−１９９１「電子式金銭登録機用語」参照）。ＰＯＳレジ７２は、電子レジスタとも呼ばれ、取引の記録、演算、金銭管理などを電子的操作で行う機械である（同ＪＩＳ参照）。ＰＯＳレジ７２は、ルータ７３を介してローカル・エリア・ネットワーク８ｂに接続される。
【００３７】
店舗システム４は、広告配信店舗ＰＯＳシステムとも呼ばれる。店舗システム４は、店舗サーバ４１を有する。店舗サーバ４１は、ＰＯＳサーバとも呼ばれ、店舗７の売上管理サーバである。本実施形態では、店舗サーバ４１は、ＩＣカード６で購入された商品又は役務の販売履歴データを配信サーバ５２に送信する機能を有する。
【００３８】
このような広告配信システム１において、配信サーバ５２は、表示データ及び紐付情報を表示制御部３２に配信する。配信サーバ５２は、配信の時間帯や曜日等に応じて配信する表示データ及び紐付情報を変える機能を有する。
【００３９】
配信サーバ５２から表示制御部３２への表示データ及び紐付情報の配信は、夜間等の適宜のタイミングで一括して行われる。その配信をリアルタイムに行ってもよい。表示制御部３２は、記憶装置を有し、配信された表示データ及び紐付情報を記憶する。
【００４０】
自動改札機２のＩＣカードリーダ２１は、ＩＣカード６の情報を読む。その情報には、属性情報が含まれている。表示制御部３２は、紐付情報を参照し、自動改札機２を通過するそのＩＣカード６に記憶されている属性情報に対応する表示データを表示部３１に表示させ、その表示履歴データを配信サーバ５２に送信する。表示履歴データに含まれる時間情報は、例えば、表示データが自動改札機２に表示された曜日及び時間帯である。これにより、表示履歴データが蓄積されると、曜日別、時間帯別の表示回数が分かる。なお、時間情報は、表示データが自動改札機２に表示された日時であってもよい。
【００４１】
店舗システム４は、販売履歴データを蓄積する販売履歴データベース４２を有する。店舗サーバ４１は、販売履歴データベース４２に蓄積される販売履歴データを配信サーバ５２に送信する。
【００４２】
表示データ配信システム５は、表示履歴データを蓄積する表示履歴データベース５４を有する。表示履歴データベース５４は、表示履歴データの他に、表示データを配信した履歴をデータとして蓄積してもよく、単に履歴データベースとも呼ばれる。配信サーバ５２は、表示制御部３２から受信した表示履歴データを表示履歴データベース５４に蓄積する。突合せ装置５３は、表示履歴データベース５４に蓄積される表示履歴データと、店舗サーバ４１から受信した販売履歴データとを突き合わせる。
【００４３】
表示データが自動改札機２の表示部３１に表示された後に、その表示データに含まれる広告の対象の商品又は役務が店舗７で購入されている場合、広告効果があったと判定される。
【００４４】
本実施形態では、表示データ配信システム５は、受信した表示履歴データと販売履歴データとを属性情報ごとに突き合わせ、表示データが改札機システム３によって表示された後にその表示データに含まれる広告の対象の商品又は役務が購入されている場合、当該属性情報が記憶されたＩＣカード６の保持者Ｐに対する広告効果があったと判定する。
【００４５】
なお、本実施形態の変形例として、表示データ配信システム５は、受信した表示履歴データと販売履歴データとを所定のセグメントごとに突き合わせ、表示データが改札機システムによって表示された後にその表示データに含まれる広告の対象の商品又は役務が購入されている場合、当該セグメント対する広告効果があったと判定してもよい。セグメントは、広告効果を判定する目的に合うように予め設定され、例えば、属性情報と他の条件との組み合わせである。なお、セグメントとは、マーケティングの用語であり、市場細分化（マーケット・セグメンテーション）における細分化された区分である。市場細分化とは、日本工業規格によれば、ニーズ及び好みが共通する同質のグループに、最大のインパクトをもつ製品を提供する戦略である（ＪＩＳ  Ｓ  ００２１：２０１４の附属書Ｂ参照）。
【００４６】
広告効果の判定は、広告効果が「ある（１）・ない（０）」の二値に限定されない。例えば、表示データが自動改札機２に表示されてから商品又は役務が店舗７で購入されるまでの時間等に基づいて、広告効果があった程度を数値化してもよい。
【００４７】
表示データ配信システム５は、突合せ装置５３による判定結果を、表示履歴データと関連付けて表示履歴データベース５４に蓄積する。これにより、通過したＩＣカード６に記憶されていた属性情報、その属性情報に対応した表示データを自動改札機２に表示したことの情報及び表示した時間情報について、その結果の広告効果がデータとして広告配信システム１に蓄積される。表示履歴データベース５４に蓄積された判定結果は、例えば、機械学習に利用される。配信サーバ５２は、広告効果を高めるため、機械学習によって曜日・時間帯に応じた紐付情報や表示データを自動的に更新する。なお、突合せ装置５３による判定結果を表示履歴データベース５４とは別のデータベースに蓄積してもよい。
【００４８】
以上、本実施形態に係る広告配信システム１によれば、属性情報に対応する広告が自動改札機２に表示されるので、その属性情報が記憶されたＩＣカード６の保持者Ｐに適した広告が自動改札機２に表示され、広告効果が高くなる。また、表示データが自動改札機２に表示された後にその表示データに含まれる広告の対象の商品又は役務が店舗７で購入されている場合、広告効果があったと判定されるので、自動改札機２での広告の表示と店舗７での購入との順序が明確になり、広告の表示と購入の因果関係が確認されて、広告効果が判る。
【００４９】
（第２の実施形態）
本発明の第２の実施形態に係る広告配信システムを図１乃至図２を参照して説明する。本実施形態の広告配信システム１は、第１の実施形態と同様の構成を有し、属性情報にかえて、ＩＣカード６の識別情報を用いるようにした。第１の実施形態と同等の箇所には同じ符号を付している。以下の説明において、第１の実施形態と同等の箇所の詳細な説明は省略する。
【００５０】
広告配信システム１は、商品又は役務の広告を自動改札機２に配信するシステムである（図１参照）。この広告配信システム１は、改札機システム３と、店舗システム４と、表示データ配信システム５とを備える。改札機システム３は、ＩＣカード６で通過可能な自動改札機２に設けられる。店舗システム４は、ＩＣカード６で商品又は役務の購入が可能な店舗７に用いられる。ＩＣカード６は、そのＩＣカードを一意に識別する識別情報が記憶されている。表示データ配信システム５は、改札機システム３及び店舗システム４と接続される。
【００５１】
この広告配信システム１において、表示データ配信システム５は、表示データ及び紐付情報を改札機システム３に配信する。表示データは、店舗７で販売される商品又は役務の広告を含むデータである。紐付情報は、識別情報を表示データと対応させる（紐付ける）情報である。
【００５２】
そして、改札機システム３は、自動改札機２を通過するＩＣカード６に記憶されている識別情報に対応する表示データをその自動改札機２に表示し、その表示履歴データを表示データ配信システム５に送信する。表示履歴データは、通過したＩＣカード６に記憶されていた識別情報、その識別情報に対応した表示データを自動改札機２に表示したことの情報及び表示した時間情報を有する。
【００５３】
店舗システム４は、販売履歴データを表示データ配信システム５に送信する。販売履歴データは、ＩＣカード６で購入された商品又は役務、そのＩＣカード６に記憶されていた識別情報及び購入された日時のデータを含む。
【００５４】
そして、表示データ配信システム５は、受信した表示履歴データと販売履歴データとを突き合わせ、表示データが改札機システムによって表示された後にその表示データに含まれる広告の対象の商品又は役務が店舗７で購入されている場合、広告効果があったと判定する。
【００５５】
この広告配信システム１についてさらに詳述する。本実施形態では、広告配信システム１は、ＩＣカード６に記憶されている識別情報を利用する。このため、各ＩＣカード６の保持者Ｐをその識別情報によって識別可能である。
【００５６】
表示データ配信システム５は、広告データベース５１と、配信サーバ５２と、突合せ装置５３とを有する。広告データベース５１は、表示データが登録されるデータベースである。表示データは、店舗７で販売される商品又は役務の広告を含む動画、画像又は文字のデータである。紐付情報は、識別情報を表示データと紐付ける対応表として、配信サーバ５２に記憶される。
【００５７】
表示データ配信システム５は、表示データ配信システム５へのデータの入力を受ける入力装置又は入力インタフェースを有する（図示せず）。
【００５８】
配信サーバ５２は、コンピュータであり、改札機システム３及び店舗システム４との間でデータを送受信する。
【００５９】
突合せ装置５３は、表示履歴データと販売履歴データとを突き合わせる装置である。
【００６０】
改札機システム３は、表示部３１と、表示制御部３２とを有する（図２参照）。表示制御部３２は、配信サーバ５２との間でデータを送受信するとともに、表示部３１に表示データを表示させる（図１参照）。
【００６１】
自動改札機２は、既存の構成として、ＩＣカードリーダ２１及び改札機制御部２２等を有する。このような構成に、改札機システム３が付加される。改札機システム３の表示部３１は、自動改札機２の天板部に設けられる。表示制御部３２及びルータ３３は、自動改札機２の筐体２３内に収容される。
【００６２】
店舗７には、既存設備として、ＩＣカードリーダ７１、ＰＯＳレジ７２、及びルータ７３を有する。
【００６３】
店舗システム４は、店舗サーバ４１を有する。店舗サーバ４１は、ＩＣカード６で購入された商品又は役務の販売履歴データを配信サーバ５２に送信する機能を有する。
【００６４】
このような広告配信システム１において、配信サーバ５２は、表示データ及び紐付情報を表示制御部３２に配信する。配信サーバ５２は、配信の時間帯や曜日等に応じて配信する表示データ及び紐付情報を自動的に変える機能を有する。
【００６５】
表示制御部３２は、記憶装置を有し、配信された表示データ及び紐付情報を記憶する。
【００６６】
自動改札機２のＩＣカードリーダ２１は、ＩＣカード６の情報を読む。その情報には、ＩＣカード６の識別情報が含まれている。表示制御部３２は、紐付情報を参照し、自動改札機２を通過するそのＩＣカード６に記憶されている識別情報に対応する表示データを表示部３１に表示させ、その表示履歴データを配信サーバ５２に送信する。表示履歴データに含まれる時間情報は、例えば、表示データが自動改札機２に表示された曜日及び時間帯である。時間情報は、表示データが表示された日時であってもよい。
【００６７】
店舗システム４は、販売履歴データを蓄積する販売履歴データベース４２を有する。店舗サーバ４１は、販売履歴データベース４２に蓄積される販売履歴データを配信サーバ５２に送信する。
【００６８】
表示データ配信システム５は、表示履歴データを蓄積する表示履歴データベース５４を有する。配信サーバ５２は、表示制御部３２から受信した表示履歴データを表示履歴データベース５４に蓄積する。突合せ装置５３は、表示履歴データベース５４に蓄積される表示履歴データと、店舗サーバ４１から受信した販売履歴データとを突き合わせる。
【００６９】
表示データが自動改札機２の表示部３１に表示された後に、その表示データに含まれる広告の対象の商品又は役務が店舗７で購入されている場合、広告効果があったと判定される。
【００７０】
本実施形態では、表示データ配信システム５は、受信した表示履歴データと販売履歴データとを識別情報ごとに突き合わせ、表示データが改札機システム３によって表示された後にその表示データに含まれる広告の対象の商品又は役務が購入されている場合、当該識別情報が記憶されたＩＣカード６の保持者Ｐに対する広告効果があったと判定する。
【００７１】
広告効果の判定は、広告効果が「あった（１）・無かった（０）」の二値に限定されない。例えば、表示データが自動改札機２に表示されてから商品又は役務が店舗７で購入されるまでの時間等に基づいて、広告効果があった程度を数値化してもよい。
【００７２】
表示データ配信システム５は、突合せ装置５３による判定結果を、表示履歴データと関連付けて表示履歴データベース５４に蓄積する。これにより、通過したＩＣカード６に記憶されていた識別情報、その識別情報に対応した表示データを自動改札機２に表示したことの情報及び表示した時間情報について、その結果の広告効果がデータとして広告配信システム１に蓄積される。表示履歴データベース５４に蓄積された判定結果は、例えば、機械学習に利用される。配信サーバ５２は、広告効果を高めるため、機械学習によって曜日・時間帯に応じた紐付情報や表示データを自動的に更新する。なお、突合せ装置５３による判定結果を表示履歴データベース５４とは別のデータベースに蓄積してもよい。
【００７３】
以上、本実施形態に係る広告配信システム１によれば、識別情報に対応する広告が自動改札機２に表示されるので、その識別情報が記憶されたＩＣカード６の保持者Ｐに適した広告が自動改札機２に表示され、広告効果が高くなる。また、表示データが自動改札機２に表示された後にその表示データに含まれる広告の対象の商品又は役務が店舗７で購入されている場合、広告効果があったと判定されるので、自動改札機２での広告の表示と店舗７での購入との順序が明確になり、広告の表示と購入の因果関係が確認されて、広告効果が判る。
【００７４】
なお、本発明は、上記の実施形態の構成に限られず、発明の要旨を変更しない範囲で種々の変形が可能である。例えば、自動改札機２に磁気券が投入された場合には、表示制御部３２は、券面データから行先を判断し、表示部３１に当該の乗り場を表示してもよい。これにより、乗客のスムーズな移動が促される。また、表示制御部は、磁気券の取り忘れの場合や、通過できない磁気券の場合に、表示部３１に案内メッセージを表示してもよい。
【符号の説明】
【００７５】
１  広告配信システム
２  自動改札機
３  改札機システム
３１  表示部
３２  表示制御部
４  店舗システム
４１  店舗サーバ
４２  販売履歴データベース
５  表示データ配信システム
５１  広告データベース
５２  配信サーバ
５３  突合せ装置
５４  表示履歴データベース
６  ＩＣカード
７  店舗
【図１】
2020140663.tif 000003
【図２】
2020140663.tif 000004